(57)【要約】【課題】撮影後に、迅速且つシャッターチャンスを逃すことなく、各種操作を行うことを可能にする撮影機器を提供する。【解決手段】  撮影機器は、被写体を撮像する撮像部と、上記撮像部で撮像して得た撮像画像を記録再生するための処理を行う記録再生制御部と、操作を受け付ける回転操作部と、上記回転操作部の操作に応じて上記撮像画像に対する処理を選択し、選択した処理に基づいて上記記録再生制御部を制御する制御部とを具備する。【選択図】図１
2014112791.tif 000002
【特許請求の範囲】
【請求項１】
被写体を撮像する撮像部と、
上記撮像部で撮像して得た撮像画像を記録再生するための処理を行う記録再生制御部と、
操作を受け付ける回転操作部と、
上記回転操作部の操作に応じて上記撮像画像に対する処理を選択し、選択した処理に基づいて上記記録再生制御部を制御する制御部と
を具備したことを特徴する撮影機器。
【請求項２】
上記制御部は、上記回転操作部の回転方向及び回転量に基づいて上記撮像画像に対する処理を選択する
ことを特徴とする請求項１に記載の撮影機器。
【請求項３】
上記制御部は、上記記録再生制御部を制御して、上記撮像画像を仮記録すると共に、仮記録された撮像画像のうち上記回転操作部の操作に応じて選択した撮像画像を記録させる
ことを特徴とする請求項１又は２に記載の撮影機器。
【請求項４】
上記制御部は、上記記録再生制御部を制御して、上記撮像画像を仮記録すると共に、仮記録された撮像画像を上記回転操作部の操作に応じて分類して異なるフォルダに記録させる
ことを特徴とする請求項１又は２に記載の撮影機器。
【請求項５】
上記制御部は、外部機器との間で通信可能で、撮像画像が第１のフォルダに記録されることにより、記録された撮像画像を上記外部機器に転送する
ことを特徴とする請求項４に記載の撮影機器。
【請求項６】
上記制御部は、外部機器との間で通信可能で、撮像画像が第２のフォルダに記録されることにより、記録された撮像画像を上記外部機器に公開する
ことを特徴とする請求項４に記載の撮影機器。
【発明の詳細な説明】
【技術分野】
【０００１】
本発明は、操作リングを備えた撮影機器に関する。
【背景技術】
【０００２】
近年、デジタルカメラなどの撮影機能付き携帯機器（撮影機器）が普及している。この種の撮影機器においては表示部を有して、撮影画像を表示する機能を有するものもある。また、表示部にメニュー画面を表示して、撮影機器の操作を容易にしたものもある。更に操作性を向上させるために、表示パネルにタッチパネルを配置して、タッチパネルに対するタッチ操作によって撮影機器の操作が可能なものもある。
【０００３】
また、特許文献１においては、撮影した画像の使用目的を指定するための複数の分類指定キーをデジタルカメラの背面に設けた装置も開示されている。特許文献１のデジタルカメラでは、分類指定キーの操作によって、画像を簡単に分類することができる。
【先行技術文献】
【特許文献】
【０００４】
【特許文献１】特開２００２−１５８９４７号公報
【発明の概要】
【発明が解決しようとする課題】
【０００５】
しかしながら、デジタルカメラ等の比較的小さい筐体に設けた表示パネルや各種キーは、サイズが比較的小さく、表示されたアイコンや各種キーに対する操作性は良好でないことがある。このため、撮影途中において撮像画像に対する各種操作を必要とする場合には、操作に手間取り、シャッターチャンスを逃す虞がある。
【０００６】
特に、撮影機器本体の上面に設けられたファインダ（接眼部）を覗きながら撮影する場合には、背面の表示パネルや各種キーを目視することができず、これらの操作は困難である。このため、ファインダを覗きながら撮影を行う場合でも、モード切換えや設定値の変更操作等のためにタッチパネルや背面キーの操作が必要なときには、操作のためにファインダから目を離す必要があり、シャッターチャンスを逃しやすい。
【０００７】
本発明は、撮影後に、迅速且つシャッターチャンスを逃すことなく、各種操作を行うことができる撮影機器を提供することを目的とする。
【課題を解決するための手段】
【０００８】
本発明に係る撮影機器は、被写体を撮像する撮像部と、上記撮像部で撮像して得た撮像画像を記録再生するための処理を行う記録再生制御部と、操作を受け付ける回転操作部と、上記回転操作部の操作に応じて上記撮像画像に対する処理を選択し、選択した処理に基づいて上記記録再生制御部を制御する制御部とを具備する。
【発明の効果】
【０００９】
本発明によれば、迅速且つシャッターチャンスを逃すことなく、各種操作を行うことができるという効果を有する。
【図面の簡単な説明】
【００１０】
【図１】本発明の一実施の形態に係る撮影機器の回路構成を示すブロック図。
【図２】カメラ制御を説明するためのフローチャート。
【図３】図２中の撮影完了時処理の具体例を示すフローチャート。
【図４】撮影時における撮影機器１の構え方を示す説明図。
【図５】図３中の処理選択の具体例を示すフローチャート。
【図６】リング操作時の画面表示の一例を示す説明図。
【図７】処理の内容を説明するための図表。
【図８】第１変形例における処理選択の動作フローを示すフローチャート。
【図９】リング操作ＵＩ表示の表示例を示す説明図。
【図１０】処理の内容を説明するための図表。
【図１１】第２変形例における処理選択の動作を示すフローチャート。
【図１２】リング操作ＵＩ表示の表示例を示す説明図。
【図１３】第２変形例によって作成される記録媒体のフォルダ構成の一例を示す説明図。
【図１４】処理の内容を説明するための図表。
【図１５】第３変形例における処理選択の他の例を示す説明図。
【発明を実施するための形態】
【００１１】
以下、図面を参照して本発明の実施の形態について詳細に説明する。図１は本発明の一実施の形態に係る撮影機器の回路構成を示すブロック図である。
【００１２】
本実施の形態における撮影機器１は、本体部１０及び交換レンズ２０によって構成されている。本体部１０は、撮影機器１の主要な回路部分が収納された筐体であり、前面に交換レンズ２０が着脱自在に取り付けられている。
【００１３】
交換レンズ２０は、鏡筒２２内に、本体部１０の撮像部１２に被写体像を導く光路部２１を有している。光路部２１は、ズームやフォーカシングのためのレンズ及び絞り等を備えており、これらのレンズ及び絞りを駆動するピント制御部２１ａ、ズーム制御部２１ｂ及び絞り機構部２１ｃを有する。ピント制御部２１ａ、ズーム制御部２１ｂ及び絞り機構部２１ｃは駆動部２４及び絞り制御部２５によって駆動制御されるようになっている。
【００１４】
光路部２１は、物体側から撮像部１２の撮像面（像面）に至る光軸上に図示しない複数のレンズが配置されて構成される。光路部２１中には、ピント合わせによりフォーカス（合焦）状態に設定するために可動されるフォーカスレンズ及びフォーカス状態で変倍するズームレンズを有する。
【００１５】
フォーカス制御及びズーム制御を行うためには、光路部２１中の各レンズの光軸方向の位置（以下、群位置という）を把握する必要がある。交換レンズ２０の制御部２３が群位置を把握するために、初期位置検出部２６ａ及び群位置検出部２６ｂが設けられている。初期位置検出部２６ａは各レンズの初期位置を検出し、群位置検出部２６ｂは各レンズの群位置を検出する。絞り機構部２１ｃは、絞り制御部２５に制御されて、図示しない絞りを駆動する。絞りは、例えば、光路部２１の所定のレンズ相互間に配置される。
【００１６】
鏡筒２２には、ユーザによる撮影に関するパラメータ、例えば、ズームや絞りに関するパラメータの設定操作のために、操作リング２２ａが設けられている。本実施の形態においては、後述するように、操作リング２２ａを撮像画像の削除処理、保護処理、タグ付け処理等の各種処理のための操作にも用いるようになっている。
【００１７】
操作検出部２７は、操作リング２２ａに対するユーザ操作を検出して検出結果を制御部２３に出力する。制御部２３は、マイコン等によって構成されており、操作検出部２７の検出結果と後述する本体部１０の信号処理及び制御部１１からの信号とに基づいて、各部を制御する。制御部２３の駆動制御部２３ａは、操作検出部２７の検出結果と信号処理及び制御部１１の制御とに従って各種制御信号を発生する。例えば、駆動制御部２３ａは、フォーカス信号及びズーム信号を発生して、駆動部２４を制御する。また、駆動制御部２３ａは、絞り制御信号を発生して、絞り制御部２５を制御する。
【００１８】
駆動部２４は、フォーカス信号に基づいてピント制御部２１ａを駆動制御し、ズーム信号に基づいてズーム制御部２１ｂを駆動制御する。また、絞り制御部２５は、絞り制御信号に基づいて絞り機構部２１ｃを駆動制御する。
【００１９】
制御部２３は、初期位置検出部２６ａ及び群位置検出部２６ｂの検出結果が与えられ、例えば、信号処理及び制御部１１の制御に対応したピント位置、ズーム位置、絞り状態となるように駆動部２４及び絞り制御部２５を制御する。リセット部２３ｂは、電源投入時等におけるリセット動作を制御するものであり、各機構部を初期位置に設定する。
【００２０】
交換レンズ２０には、通信部２８が設けられている。また、本体部１０には通信部１３が設けられている。通信部２８は、所定の伝送路を介して本体部１０の通信部１３との間で情報の送受を行う。制御部２３は、本体部１０の通信部１３との間の通信が確立すると、図示しない記録部に格納したレンズ情報及びズーム操作に関する情報、ピント位置、絞り状態等の情報を通信部２８，１３によって本体部１０に送信させることができる。レンズ情報により、本体部１０は、交換レンズ２０がどのようなズーム機能を有しているか、ズームレンズの焦点距離範囲（倍率）、焦点距離、明るさナンバー等を認識することができる。更に、本実施の形態においては、制御部２３は、操作検出部２７の検出結果の情報も本体部１０に送信するようになっている。
【００２１】
撮影機器１を構成する本体部１０は、ＣＣＤやＣＭＯＳセンサ等の撮像素子によって構成された撮像部１２を有している。撮像部１２は、本体部１０の前面に設けられた交換レンズ２０からの被写体像を光電変換して撮影画像を得る。撮像部１２は、信号処理及び制御部１１によって駆動制御されて、撮影画像を出力する。
【００２２】
信号処理及び制御部１１は、例えばＣＰＵ等によって構成されて撮影機器１の各部を制御する。信号処理及び制御部１１は、撮像部１２に撮像素子の駆動信号を出力すると共に、撮像部１２からの撮影画像を読み出す。信号処理及び制御部１１は、読み出した撮影画像に対して、所定の信号処理、例えば、色調整処理、マトリックス変換処理、ノイズ除去処理、その他各種の信号処理を行う。
【００２３】
本体部１０には、時計部１４及び操作判定部１５も配設されている。時計部１４は信号処理及び制御部１１が用いる時間情報を発生する。操作判定部１５は、本体部１０に設けられた図示しないレリーズボタン、ファンクションボタン、撮影モード設定等の各種スイッチ等を含む操作部に対するユーザ操作に基づく操作信号を発生して、信号処理及び制御部１１に出力するようになっている。信号処理及び制御部１１は、操作信号に基づいて、各部を制御する。
【００２４】
信号処理及び制御部１１の記録再生制御部１１ｂは、撮像画像の記録及び再生に関する処理を行う。例えば、記録再生制御部１１ｂは、信号処理後の撮影画像を圧縮処理し、圧縮後の画像を記録部１６に与えて記録させることができる。記録部１６としては、例えばカードインターフェースを採用することができ、記録部１６はメモリカード等の記録媒体に画像情報及び音声情報等を記録可能である。
【００２５】
信号処理及び制御部１１の表示制御部１１ａは表示に関する各種処理を実行する。表示制御部１１ａは、信号処理後の撮影画像を接眼表示部１９及び表示部３５に与えることができる。接眼表示部１９及び表示部３５は、ＬＣＤ等の表示画面を有しており、表示制御部１１ａから与えられた画像を表示する。また、表示制御部１１ａは、各種メニュー表示等をこれらの表示画面に表示させることもできるようになっている。
【００２６】
記録再生制御部１１ｂは、記録部１６に記録されている撮像画像を読み出して伸張処理することができる。表示制御部１１ａは伸張処理された撮像画像を表示部３５に与えることで、記録画像の再生が可能である。
【００２７】
表示部３５は、後述するように、撮像画像を表示する表示画面３５ａを有している。また、表示画面３５ａ上には、タッチパネル３６が設けられている。タッチパネル３６は、ユーザが指で指し示した表示画面３５ａ上の位置に応じた操作信号を発生することができる。この操作信号は、信号処理及び制御部１１に供給される。これにより、信号処理及び制御部１１は、ユーザが表示画面３５ａ上をタッチしたりスライドさせたりした場合には、ユーザのタッチ位置、指を離間させる操作、スライド操作やスライド操作によって到達した位置、スライド方向、タッチしている期間等の各種操作を検出することができ、ユーザ操作に対応した処理を実行することができるようになっている。
【００２８】
なお、表示部３５は、本体部１０の例えば背面の略全域を占めるように配設されており（図４参照）、撮影者は、撮影時に表示部３５の表示画面３５ａ上に表示されたスルー画を確認することができ、スルー画を確認しながら撮影操作を行うこともできる。
【００２９】
また、信号処理及び制御部１１には、露光時間制御部１１ｃが設けられている。露光時間制御部１１ｃは、バルブ撮影における露光時間を制御するものであり、撮像部１２及び記録再生制御部１１ｂを制御して、各露光時間における撮像画像を仮記録部１６ａに記録させることができるようになっている。
【００３０】
また、本体部１０には、通信部１８も設けられている。通信部１８は、信号処理及び制御部１１によって制御されて、外部機器との間で通信が可能であり、撮像画像を外部機器に送信することもできるようになっている。
【００３１】
本実施の形態においては、信号処理及び制御部１１は、操作リング２２ａの操作によって各種処理を実行するために、回転検出部１１ｄ及び処理判定部１１ｅを有している。回転検出部１１ｄは、交換レンズ２０の制御部２３からの情報が与えられて、操作リング２２ａが回転操作されたこと、回転方向、回転角度等を検出するようになっている。
【００３２】
処理判定部１１ｅは、回転検出部１１ｄの検出結果に基づいて、操作リング２２ａの回転操作、回転方向、回転角度等を認識して、実行する処理を決定するようになっている。例えば、処理判定部１１ｅは、図示しないメモリに記憶された処理テーブルを参照することで、操作リング２２ａの回転に対応した処理を決定する。なお、処理テーブルは、ユーザによって修正可能に構成することもでき、この場合には、ユーザは、操作リング２２ａの回転に応じた処理を適宜設定可能である。
【００３３】
次に、このように構成された実施の形態の動作について図２乃至図７を参照して説明する。図２はカメラ制御を説明するためのフローチャートであり、図３は図２中の撮影完了時処理の具体例を示すフローチャートである。また、図４は撮影時における撮影機器１の構え方を示す説明図であり、図５は図３中の処理選択の具体例を示すフローチャートである。また、図６はリング操作時の画面表示の一例を示す説明図であり、図７は処理の内容を説明するための図表である。
【００３４】
撮影機器１の電源が投入されると、信号処理及び制御部１１は、図２のステップＳ１において、撮影モードが指定されたか否かを判定する。撮影モードが指定されていない場合には、信号処理及び制御部１１は、ステップＳ２において電源オフ操作が行われたか否かを判定し、行われていない場合には再生モードに移行する（ステップＳ３）。
【００３５】
撮影モードが指定されている場合には、信号処理及び制御部１１は、ステップＳ５においてスルー画の表示を開始する。即ち、信号処理及び制御部１１は、撮像部１２からの撮像画像を取り込んで、撮像画像に対し所定の映像信号処理を施す。信号処理及び制御部１１の表示制御部１１ａは、映像信号処理された撮像画像を表示部１９，３５に与えて表示させる。
【００３６】
次に、信号処理及び制御部１１は、ユーザがレリーズボタン４１（図４参照）の押下操作やタッチパネル３６のタッチ操作による撮影操作を行ったか否かを判定する（ステップＳ６）。図４に示すように、通常、撮影者は左手４２Ｌで交換レンズ２０の鏡筒２２部分を支え、本体部１０上面のレリーズボタン４１に右手４２Ｒの人差し指を軽く触れながら本体部１０を把持して、撮影のために構える。図４に示すように、本体部１０の筐体背面の表面には、表示部３５の表示画面３５ａが設けられている。操作判定部１５は、撮影者の例えばレリーズボタン４１の押下操作を撮影操作として判定する。このような撮影操作が行われると、信号処理及び制御部１１は、ステップＳ７において、静止画撮影処理を行う。
【００３７】
即ち、記録再生制御部１１ｂは、映像信号処理された撮像画像の１コマを取り込んで、記録部１６に与えて記録する。なお、連写モードが指定されている場合には、記録再生制御部１１ｂは、１回の撮像操作につき複数コマの撮像画像を取り込んで、取り込んだ各撮像画像を順次記録部１６に与えて記録する。次に、信号処理及び制御部１１は、ステップＳ８に処理を移行して撮影完了時処理を実行する。
【００３８】
撮影完了時処理として、先ず、信号処理及び制御部１１の表示制御部１１ａは、図３のステップＳ１１において、記録部１６に記録されている撮像画像を読み出してレックビュー表示を行う。表示部３５の表示画面上には、最後に撮影した撮像画像がレックビュー表示される。
【００３９】
本実施の形態においては、レックビュー表示の表示可能期間において、撮影者が操作リング２２ａを回転操作することで、撮像画像に対して各種処理を行うことができるようになっている。回転検出部１１ｄは、ステップＳ１２において、操作リング２２ａのリング操作を検出する。リング操作が行われることなくレックビュー表示の開始からレックビュー表示の表示可能期間が経過すると、回転検出部１１ｄは、ステップＳ１３において、タイムアウトを検出する。これにより、信号処理及び制御部１１は、処理をステップＳ１４に移行して、撮影状態、即ち、図２のステップＳ１における撮影モードの判定に処理を戻す。
【００４０】
レックビュー表示の表示可能期間内において、撮影者が操作リング２２ａを回転操作すると回転検出部１１ｄはこの回転を検出し、信号処理及び制御部１１は、表示制御部１１ａを制御して、リング操作ＵＩ（ユーザインタフェース）表示を表示画面３５ａ上に表示させる。
【００４１】
図６はこのリング操作ＵＩ表示の表示例を示している。なお、図６では表示部３５に表示する例を示しているが、接眼表示部１９に表示してもよい。図６（ａ）に示すように、表示画面３５ａの中央の大部分を占める最新画像表示領域５１には、一番最後に撮影した最新の撮像画像が表示されている。また、最新画像表示領域５１の下方には、２番目、３番目、４番目に新しい撮像画像５２ａ〜５２ｃを表示する３つの縮小表示領域が設けられている。
【００４２】
また、表示画面３５ａの右上には、処理の内容を示す処理内容表示領域５５が設けられている。図６は、リング操作による処理として撮像画像を削除する処理に設定した場合の例を示しており、処理内容表示領域５５の表示によってリング操作が撮像画像を削除する処理であることを示している。また、表示画面３５ａの右下には、処理の内容を示すゴミ箱アイコン５３も表示されている。
【００４３】
なお、本実施の形態においては、単写モード時におけるリング操作ＵＩ表示では、縮小表示領域に、過去の撮像画像が表示されることになる。また、連写モード時には、１回の連写で撮影された撮像画像を表示画面３５ａ内のリング操作ＵＩ表示で表示するようにしてもよい。
【００４４】
回転検出部１１ｄは、ステップＳ２２において操作状態を初期化し、操作リング２２ａの回転操作の開始位置を初期位置として図示しないメモリに記憶すると共に、この初期位置を基準として、操作リング２２ａの回転を検出する。処理判定部１１ｅは、次のステップＳ２３において、回転に応じた処理を選択する。図５は、処理判定部１１ｅが回転に応じた枚数だけ、記録部１６に記録されている撮像画像を削除する場合の動作フローを示している。
【００４５】
先ず、処理判定部１１ｅは、図５のステップＳ３１において、操作（回転）状態が前回と一致しているか否かを判定する。処理判定部１１ｅは、図３のステップＳ２４，Ｓ２５において、レリーズボタン４１の半押し操作が発生したか否か、処理決定操作が行われたか否かを判定し、更に、ステップＳ２６において、操作リング２２ａの回転操作による処理のタイムアウトの判定を行う。タイムアウトの判定が行われるまで、ステップＳ２３〜Ｓ２５の処理が繰り返される。
【００４６】
図５のステップＳ３１は、前回の判定時と操作状態（回転状態）が同一である場合には、ステップＳ３２〜Ｓ３９の処理を行うことなく、図３のステップＳ２４に処理を移行することを示す。ステップＳ３１において、処理判定部１１ｅは、回転検出部１１ｄの検出結果によって回転状態が変化していると判定された場合には、ステップＳ３２において削除枚数を算出する。
【００４７】
処理判定部１１ｅは、例えば、図７の図表に従って削除枚数を算出する。図７の例では、操作リング２２ａが１５度回転する毎に１枚の撮像画像を削除するようになっている。例えば、操作リング２２ａの回転量が１５度以上３０度未満では１枚、３０度以上４５度未満では２枚、４５度以上６０度未満では３枚である。そして、回転方向に応じて削除枚数が増加又は減少する。
【００４８】
また、処理判定部１１ｅは、操作リング２２ａの回転方向によって記録された最後（最新）の撮像画像から削除するか、最も古い最初の撮像画像から削除するかを切り替えるようになっている。なお、連写モード時には、最初の撮像画像として、最後の１回の撮像によって得られた複数枚の撮像画像のうちの最初の撮像画像を選択してもよい。
【００４９】
被写体方向を向いて時計方向の回転方向をＣＷ方向とし、反時計方向をＣＣＷ方向とすると、例えば図７の例では、操作リング２２ａをＣＷ方向に回転させた場合には、回転角度に応じて最新の撮像撮像から削除する枚数を増加させる。なおこの場合には、操作リング２２ａをＣＣＷ方向に戻すことで、１５度毎に削除枚数を減少させる。
【００５０】
また、図７の例では、操作リング２２ａをＣＣＷ方向に回転させた場合には、回転角度に応じて最初の撮像撮像から削除する枚数を増加させる。なおこの場合には、操作リング２２ａをＣＷ方向に戻すことで、１５度毎に削除枚数を減少させる。
【００５１】
処理判定部１１ｅは、ステップＳ３３においてリング回転方向がＣＷ方向であるか否かを判定する。リング回転方向がＣＷ方向の場合には、ステップＳ３４において最新の撮像画像を削除し、ＣＣＷ方向の場合には、ステップＳ３５において最初（先頭）の撮像画像を削除する。
【００５２】
表示制御部１１ａは、ステップＳ３６において、削除画像をゴミ箱アイコン５３側に移動させるアニメーション表示を表示する。処理判定部１１ｅは、ステップＳ３７において削除する撮像画像があるか否かを判定し、ある場合には削除処理を行い（ステップＳ３８）、ない場合には削除処理を行うことなく（ステップＳ３９）処理を終了する。
【００５３】
図６（ｂ）は、撮影者が、図６（ａ）のリング操作ＵＩ表示が表示されている状態から、操作リング２２ａをＣＷ方向に３０度以上４５度未満回転させた場合のリング操作ＵＩ表示を示している。操作リング２２ａが１５度以上回転した状態で、先ず、図６（ａ）の最新画像表示領域５１に表示されている画像が縮小画像に変換されてゴミ箱アイコン５３側に移動すると共に、各縮小表示領域の画像５２ｃ〜５２ａがシフトして、例えば画像５２ａは最新画像表示領域５１に表示される。操作リング２２ａが更に１５度以上回転すると、最新画像表示領域５１に表示されている画像が縮小画像５４に変換されてゴミ箱アイコン５３側に移動すると共に、各縮小表示領域には画像５２ｄ〜５２ｂが表示される。なお、操作リング２２ａを比較的高速に回転させて、一気に３０度以上４５度未満回転した場合には、図６（ａ）の状態からいきなり図６（ｂ）の状態に変化することになる。
【００５４】
記録再生制御部１１ｂは、撮影者がレリーズボタン４１を半押し操作するか、処理決定操作を行うか又はタイムアウトすることにより、ステップＳ２４，Ｓ２５から処理をステップＳ２７に移行して、ステップＳ２３の処理選択を確定して、記録部１６から削除等を行う。従って、処理の確定操作の前に、操作リング２２ａをＣＷ方向又はＣＣＷ方向に回転させることで、削除する撮像画像を増加させたり減少させたりしながら、簡単に削除画像を決定することができる。
【００５５】
なお、図３では、レックビュー表示後のリング操作によってリング操作ＵＩ表示を表示する例について説明したが、レックビュー表示に代えてリング操作ＵＩ表示を表示させてもよく、また、レックビュー表示とは無関係に任意のキー操作等によって、リング操作ＵＩ表示を表示させるようにしてもよい。
【００５６】
また、回転量は度数ではなく、リングの検出系に依存したカウント値や、リングにクリック感を持たせている場合には、クリック数で規定してもよい。
【００５７】
また、上記実施の形態では、回転量が１５度変化する毎に処理を切換える例を説明したが、異なる変化量を検出して処理を切換えてもよく、例えば、重要な処理については、他の場合よりも回転量を大きく変化させることによって、処理が選択されたものと判定してもよい。
【００５８】
このように本実施の形態においては、操作リングを回転させるという簡単な操作によって、削除操作等の所定の処理を実行することができる。操作リングは、撮影のために構えた状態で操作することができ、しかも、接眼表示部に接眼した状態でも操作リングを操作することができ、撮影後に、迅速且つシャッターチャンスを逃すことなく、各種操作を行うことができる。
【００５９】
例えば、撮影直後に似通った複数の撮像画像を比較しながら削除する画像を決定する場合等において、複数の画像を順次切り替えて確認する操作をリング操作で行うことにより、接眼表示部を覗いた状態で画像の切換え及び確認を簡単に行うことができ、短時間に所望の画像の削除が可能である。また、操作リングの回転方向及び回転量によって処理を切り分けることができ、例えば逆回転によって処理を戻すこともできるので、操作のやり直しが容易である。
【００６０】
（第１変形例）
図８は第１変形例における処理選択の動作フローを示すフローチャートである。本変形例は図１と同一のハードウェア構成によって実現することができる。本変形例は、バルブ撮影に適用したものである。
【００６１】
上述したように、露光時間制御部１１ｃは、バルブ撮影における露光時間を制御して、各露光時間における撮像画像を仮記録部１６ａに記録させることができるようになっている。本変形例においては、処理判定部１１ｅは、回転検出部１１ｄの検出結果に従って、露光時間制御部１１ｃを制御することで、任意の露光時間で記録された撮像画像を簡単に選択することができるようになっている。
【００６２】
次に、このように構成された第１変形例の動作について図８乃至図１０を参照して説明する。図９はリング操作ＵＩ表示の表示例を示す説明図であり、図１０は処理の内容を説明するための図表である。
【００６３】
制御部１１の露光時間制御部１１ｃは、バルブ撮影が指示されると、例えば、撮像部１２に最短露光時間を設定し、撮像部１２から最短露光時間毎に得られる撮像画像を累積加算することで、所定の露光時間（以下、記録単位露光時間という）の撮像画像を得る。記録再生制御部１１ｂは記録単位露光時間毎に、得られる撮像画像を仮記録部１６ａに記録する。これにより、バルブ撮影時には、記録単位露光時間毎にユーザが設定した最大露光時間まで各露光時間の撮像画像が仮記録部１６ａに順次記録される。
【００６４】
本変形例においても、バルブ撮影が完了すると、図３と同様の撮影完了時処理が実行される。本変形例においては、図３のステップＳ２３における処理選択として、図８のフローが採用される。図８において図５と同一の手順には同一符号を付して説明を省略する。
【００６５】
初期状態では、ユーザが最終的に選択する露光時間（以下、決定露光時間という）は、最大露光時間に設定されている。処理判定部１１ｅは、ステップＳ４１においてリング回転方向がＣＷ方向であるか否かを判定する。リング回転方向がＣＷ方向の場合には、ステップＳ４２において決定露光時間を回数量に応じて減少させ、リング回転方向がＣＣＷ方向の場合には、ステップＳ４３において決定露光時間を回転量に応じて増大させる。
【００６６】
処理判定部１１ｅは、例えば、図１０の図表に従って決定露光時間の増減量を算出する。図１０の例では、操作リング２２ａが１５度ＣＷ方向に回転する毎に所定時間、例えば記録単位露光時間だけ決定露光時間を減少させるようになっている。また、図１０の例では、操作リング２２ａをＣＣＷ方向に回転させた場合には、１５度毎に決定露光時間を増加させる。例えば、操作リング２２ａの回転量が１５度以上３０度未満では１記録単位露光時間、３０度以上４５度未満では２記録単位露光時間、４５度以上６０度未満では３記録単位露光時間だけ決定露光時間を増減させる。
【００６７】
処理判定部１１ｅは、ステップＳ４４において、ユーザ操作による決定露光時間が０よりも小さくなったか否かを判定し、ユーザの決定露光時間の減少操作によって決定露光時間が０よりも小さくなった場合には、ステップＳ４５において、決定露光時間を最低露光時間に設定する。
【００６８】
図９は本変形例におけるリング操作ＵＩ表示の表示例を示している。なお、図９では表示部３５に表示する例を示しているが、接眼表示部１９に表示してもよい。図９（ａ）に示すように、表示画面３５ａ上には、リング操作ＵＩ画像として、バルブ撮影終了時における撮像画像が表示されている。表示画面３５ａの下方には、露光時間を示すタイムバー表示７１が表示され、タイムバー表示７１の右端の指示表示７２によって、現在表示されている撮像画像の露光時間が最大露光時間である３０秒であることが示されている。
【００６９】
いま、記録単位露光時間が５秒であるものとして、ユーザが６０度以上７５度未満の回転量だけ操作リング２２ａをＣＷ方向に回転させるものとする。処理判定部１１ｅは、回転量から２０秒だけ決定露光時間を減少させて決定露光時間を１０秒とする。
【００７０】
処理判定部１１ｅは、表示制御部１１ａ及び記録再生制御部１１ｂを制御して、決定露光時間における撮像画像を仮記録部１６ａから読み出して表示画面３５ａ上に表示させると共に、指示表示７２をタイムバー表示７１の対応する位置に表示させる（ステップＳ４６）。
【００７１】
図９（ｂ）はこの場合におけるリング操作ＵＩ表示の表示例を示しており、表示画面３５ａ上には、ユーザのリング操作に対応した露光時間での撮像画像が表示されると共に、タイムバー表示７１及び指示表示７２が表示される。ユーザは、自分の露光時間の設定操作を、タイムバー表示７１及び指示表示７２によって確認することができると共に、露光時間の設定操作に対応した撮像画像を画像表示によって確認することができる。
【００７２】
記録再生制御部１１ｂは、撮影者がレリーズボタン４１を半押し操作するか、処理決定操作を行うか又はタイムアウトすることにより、図３のステップＳ２４，Ｓ２５から処理をステップＳ２７に移行して、ステップＳ２３の処理選択を確定する。こうして、ユーザが指定した決定露光時間での撮像画像が記録部１６に記録される。このように、処理の確定操作の前に、操作リング２２ａをＣＷ方向又はＣＣＷ方向に回転させることで、ユーザが露光時間を変化させながら各露光時間における撮像画像を確認し、最終的に希望する露光時間の撮像画像を決定することができる。
【００７３】
このように本変形例においては、操作リングを回転させるという簡単な操作によって、撮影後に、迅速且つシャッターチャンスを逃すことなく、各露光時間での撮像結果を確認しながら、希望する露光時間での撮像画像を記録することができる。
【００７４】
（第２変形例）
図１１は第２変形例における処理選択の動作を示すフローチャートである。本変形例は図１と同一のハードウェア構成によって実現することができる。第１変形例においては、リング操作によって、各処理の具体的な処理量を決定した。本変形例はリング操作によって、処理内容を表示して処理を選択するものである。
【００７５】
上述したように、通信部１８は、外部機器との間で通信を行って、撮像画像を外部機器に送信することができるようになっている。本変形例においては、処理判定部１１ｅは、回転検出部１１ｄの検出結果に従って、記録再生制御部１１ｂ及び通信部１８制御することで、撮像画像に対する外部機器への送信等を簡単に制御することができるようになっている。
【００７６】
次に、このように構成された第２変形例の動作について図１１乃至図１４を参照して説明する。図１２はリング操作ＵＩ表示の表示例を示す説明図であり、図１３は第２変形例によって作成される記録媒体のフォルダ構成の一例を示す説明図である。また、図１４は処理の内容を説明するための図表である。
【００７７】
本変形例における処理判定部１１ｅは、操作リング２２ａの回転量に応じて、撮像画像の転送に対する制御を選択させる。本変形例では、転送制御として、例えば、ＳＮＳ共用マーク設定、ネットワーク転送設定、削除設定、ネットワーク公開許可設定、プライベートマーク設定及び保護設定を例に説明する。
【００７８】
本変形例においても、撮影が完了すると、図３と同様の撮影完了時処理が実行される。本変形例においては、図３のステップＳ２３における処理選択として、図１１のフローが採用される。図１１において図５と同一の手順には同一符号を付して説明を省略する。
【００７９】
本変形例では、レックビュー表示の表示可能期間に操作リング２２ａが操作されることで、表示画面３５ａ又は接眼表示部１９に図１２（ａ）に示すリング操作ＵＩ表示が表示される。図１２に示すように、表示画面３５ａ上には、リング操作ＵＩ画像として、実行する処理内容を示す選択枠８１ａ〜８１ｆが表示されている。また、操作リング２２ａの回転方向を示す円形の矢印表示８２及び回転位置を示す指示表示８３も表示されている。
【００８０】
指示表示８３は、ユーザのリング操作による選択位置を示しており、図１２（ａ）はリング操作ＵＩ表示の表示直後でユーザが処理の選択を行っていない状態を示し、図１２（ｂ）はユーザが約４５度ＣＷ方向に操作リング２２ａを回転させて、選択枠８１ａを選択している状態を示している。なお、指示表示８３によってユーザの選択位置を示したが、ユーザが選択している選択枠については色や模様を他の選択枠と異なるものに変化させるようにしてもよい。
【００８１】
回転検出部１１ｄは、ステップＳ５１において、操作リング２２ａの回転量を求めてその情報を処理判定部１１ｅに与える。処理判定部１１ｅは、ステップＳ５２においてリング回転方向がＣＷ方向であるか否かを判定する。リング回転方向がＣＷ方向の場合には、ステップＳ５３〜Ｓ６０の処理を行い、リング回転方向がＣＣＷ方向の場合には、ステップＳ６１〜Ｓ６８の処理を行う。
【００８２】
処理判定部１１ｅは、ステップＳ５３，Ｓ５５，Ｓ５７，Ｓ５９において、ＣＷ方向の回転量が４５度未満であるか、４５度以上９０度未満であるか、９０度以上１３５度未満であるか、１３５度以上であるかを判定する。処理判定部１１ｅは、回転量が４５度未満の場合には処理を行わず（ステップＳ５４）、４５度以上９０度未満の場合にはＳＮＳ共有マークを設定し（ステップＳ５６）、９０度以上１３５度未満の場合にはネットワーク転送を設定し（ステップＳ５８）、１３５度以上の場合には削除を設定する（ステップＳ６０）。
【００８３】
また、処理判定部１１ｅは、ステップＳ６１，Ｓ６３，Ｓ６５，Ｓ６７において、ＣＣＷ方向の回転量が４５度未満であるか、４５度以上９０度未満であるか、９０度以上１３５度未満であるか、１３５度以上であるかを判定する。処理判定部１１ｅは、回転量が４５度未満の場合には処理を行わず（ステップＳ６２）、４５度以上９０度未満の場合にはネットワーク公開許可を設定し（ステップＳ６４）、９０度以上１３５度未満の場合にはプライベートマークを設定し（ステップＳ６６）、１３５度以上の場合には保護を設定する（ステップＳ６８）。処理判定部１１ｅは、ステップＳ６９において、表示制御部１１ａを制御して、ユーザのリング操作に応じて指示表示８３を変化させる。
【００８４】
ステップＳ５６，Ｓ６６のＳＮＳ共用マーク設定及びプライベートマーク設定は、夫々撮像画像にＳＮＳ共有マーク及びプライベートマークを設定するものである。処理判定部１１ｅは、操作リング２２ａの回転量からこれらの処理が選択されたものと判定すると、記録再生制御部１１ｂを制御して、撮像画像をこれらのマークに対応するフォルダに移動して保存させる。
【００８５】
図１３は記録部１６によって撮像画像が記録される記録媒体上に作成されるフォルダの構成を示しており、図１３の例では、画像フォルダであるＤＣＩＭフォルダ内に、「１００××××」、「１０１ＰＲＩＶＴ」、「１０２ＳＨＡＲＥ」、「１０３ＴＲＡＮＳ」、「１０４ＰＵＢＬＩＣ」フォルダが作成されていることを示している。
【００８６】
記録再生制御部１１ｂは、ＳＮＳ共有マーク設定された撮像画像については「１０２ＳＨＡＲＥ」フォルダに格納し、プライベートマーク設定された撮像画像については「１０１ＰＲＩＶＴ」フォルダに格納する。
【００８７】
ＳＮＳ共有マークやプライベートマークを撮像画像に設定することにより、例えばパーソナルコンピュータによって記録媒体に記録された撮像画像を参照する場合等において、これらのマークが設定された画像を簡単に検索・選択することが可能となる。
【００８８】
ネットワーク転送処理は、撮影後において、予め登録した外部機器に対して、撮影画像を自動的に送信するものである。処理判定部１１ｅは、ステップＳ５８においてネットワーク転送設定を行った撮像画像については、記録再生制御部１１ｂを制御して、撮像画像を「１０３ＴＲＡＮＳ」フォルダに移動して保存させる。更に、処理判定部１１ｅは、図３の処理決定操作が行われた後、通信部１８を制御して、「１０３ＴＲＡＮＳ」フォルダに格納された最新の撮像画像を、Ｅｙｅ−ｆｉカード、カメラボディのＷｉｆｉ機能、その他のワイヤレス接続機能を用いて、登録された外部機器に送信する。
【００８９】
ネットワーク公開許可は、外部機器からのアクセスを許可し、撮影画像を公開するものである。処理判定部１１ｅは、ステップＳ６４においてネットワーク公開許可設定を行った撮像画像については、記録再生制御部１１ｂを制御して、撮像画像を「１０４ＰＵＢＬＩＣ」フォルダに移動して保存させる。更に、処理判定部１１ｅは、図３の処理決定操作が行われた後、通信部１８を制御して、「１０４ＰＵＢＬＩＣ」フォルダに格納された最新の撮像画像を、Ｆｌａｓｈａｉｒカード、カメラボディのＷｉｆｉ機能、その他のワイヤレス接続機能を用いて、外部機器に公開する。
【００９０】
処理判定部１１ｅは、ステップＳ６０において削除設定を行った撮像画像については、図３の処理決定操作が行われた後、記録媒体から削除する。また、処理判定部１１ｅは、ステップＳ６８において保護設定を行った撮像画像については、図３の処理決定操作が行われた後、記録媒体の撮像画像に保護属性を設定する。
【００９１】
ところで、上記変形例では、一度に複数の処理を選択させてもよい。同時に実施可能な処理をリング状の選択枠に隣接して設定することにより、リング状に繋がっている複数の処理を纏めて選択することができる。
【００９２】
図１４は複数の処理を纏めて選択する場合の例を示している。図１４の例は図１２のリング操作ＵＩ表示に対応した処理を示しており、ＣＷ方向及びＣＣＷ方向の回転量が、４５度、９０度又は１３５度における処理を示している。
【００９３】
処理判定部１１ｅは、ＣＷ方向の回転量が４５度の場合にはＳＮＳ共有マークを設定し、９０度の場合にはＳＮＳ共有マーク設定とネットワーク転送設定とを行う。更に、処理判定部１１ｅは、ＣＷ方向の回転量が１３５度の場合にはネットワーク転送設定と削除設定を行う。即ち、この場合には、ネットワーク転送が終了すると、転送した撮像画像については記録部１６によって削除される。
【００９４】
また、処理判定部１１ｅは、ＣＣＷ方向の回転量が４５度の場合にはネットワーク公開許可を設定し、９０度の場合にはプライブートマークのみを設定する。更に、処理判定部１１ｅは、ＣＣＷ方向の回転量が１３５度の場合にはプライベートマーク設定と保護設定を行う。
【００９５】
このように、操作リング２２ａの回転量に応じて、リング状に隣接する１つ以上の処理を適宜選択して処理を行うことが可能である。処理に軽重、優劣、順位等がある場合には、より先にすべき処理についての選択枠をより小さい回転量に対応する位置に設定することにより、この処理をすばやく選択することができる。また、連続して選択される可能性がある処理についての選択枠を隣接配置することにより、１回の回転操作によって、複数の処理を選択して実行させることが可能であり、操作性に著しく優れている。
【００９６】
このように本変形例においては、操作リングを回転させるという簡単な操作によって、撮影後に、迅速且つシャッターチャンスを逃すことなく、撮像画像に対して希望する転送制御を設定することができる。
【００９７】
（第３変形例）
図１５は第３変形例における処理選択の他の例を示す説明図である。本変形例は図１と同一のハードウェア構成によって実現することができる。本変形例は、処理を大分類と小分類に分け、リング操作によって、大分類の処理を選択した後小分類の処理を選択するようにしたものである。
【００９８】
図１５は本変形例におけるリング操作ＵＩ表示の表示例を示している。図１５（ａ）はリング操作ＵＩ表示の表示直後でユーザが処理の選択を行っていない状態を示しており、表示画面３５ａには、大分類の選択枠９１と操作リング２２ａの回転方向を示す円形の矢印表示８２及び回転位置を示す指示表示８３が表示されている。大分類の選択枠９１は、ＣＷ方向の回転によって選択することができるようになっている。なお、図１５の例では、大分類の処理として、ネットワーク、フォルダ分け及び保護／削除が指定可能である。
【００９９】
図１５（ｂ）はユーザが約４５度ＣＷ方向に操作リング２２ａを回転させて、大分類の選択枠９１のうち、ネットワーク関連の処理を選択するための選択枠を選択している状態を示している。この状態で、図３の処理決定操作が行われると、ネットワーク関連の処理が小分類の選択枠９２として選択可能となる。
【０１００】
図１５（ｃ）はこの状態を示しており、小分類の処理として、ＳＮＳ共有マーク設定、ネットワーク公開許可設定、ネットワーク転送設定が設定可能であることを示している。小分類の選択枠９２は、ＣＣＷ方向の回転によって選択することができるようになっている。
【０１０１】
図１５（ｃ）では、指示表示８３の位置から、ユーザがＣＣＷ方向に４５度操作リング２２ａを回転させて、ＳＮＳ共有マーク設定を選択したことを示している。また、図１５（ｃ）に示すように、選択されていない大分類に関する選択枠の表示を消去することにより、大分類の処理としてネットワークを選択していることをユーザに認識させている。
【０１０２】
同様に、図１５（ｄ）では、大分類の処理としてフォルダ分けが選択され、フォルダ分けの小分類の処理として、プライベート設定、仕事用設定、イベント用設定の各設定が可能であることを示している。図１５（ｄ）では、これらの小分類の処理のうち、プライベート設定が選択されていることが分かる。処理判定部１１ｅは、小分類の処理の選択結果に応じて、撮像画像をプライベート用、仕事用又はイベント用のフォルダに移動させて格納する。
【０１０３】
同様に、図１５（ｅ）では、大分類の処理として保護／削除が選択され、保護／削除の小分類の処理として、保護設定、削除設定の各設定が可能であることを示している。図１５（ｅ）では、これらの小分類の処理のうち、保護設定が選択されていることが分かる。処理判定部１１ｅは、小分類の処理の選択結果に応じて、撮像画像に保護属性を設定するか、又は撮像画像を削除するかを決定する。
【０１０４】
このように本変形例では、回転方向によって大分類と小分類の処理を簡単に選択可能であり、操作性に優れている。これにより、本変形例においても、撮影後に、迅速且つシャッターチャンスを逃すことなく、撮像画像に対する処理が可能である。
【０１０５】
なお、本変形例では、処理を大分類と小分類の２つに分ける例を説明したが、処理を３つ以上の階層に分け、ＣＷ方向とＣＣＷ方向とで交互に各階層の処理を選択するようにしてもよい。
【０１０６】
このように上記各例では、リング操作によって各処理を選択しており、回転方向及び回転量別に処理内容を分けることができ、選択操作が極めて容易である。なお、上記各変形例においても、回転量は度数ではなく、リングの検出系に依存したカウント値や、リングにクリック感を持たせている場合には、クリック数で規定してもよい。
【０１０７】
また、上記各例では、回転量が一定角度変化する毎に処理を切換える例を説明したが、異なる変化量を検出して処理を切換えてもよく、例えば、重要な処理については、他の場合よりも回転量を大きく変化させることによって、処理が選択されたものと判定するようにしてもよい。
【０１０８】
さらに、本発明の各実施形態においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話やスマートフォンなど携帯情報端末（ＰＤＡ：Personal Digital Assist）等に内蔵されるカメラでも勿論構わない。
【０１０９】
本発明は、上記各実施形態にそのまま限定されるものではなく、実施段階ではその要旨を逸脱しない範囲で構成要素を変形して具体化できる。また、上記各実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【０１１０】
なお、特許請求の範囲、明細書、および図面中の動作フローに関して、便宜上「まず、」、「次に、」等を用いて説明したとしても、この順で実施することが必須であることを意味するものではない。また、これらの動作フローを構成する各ステップは、発明の本質に影響しない部分については、適宜省略も可能であることは言うまでもない。
【符号の説明】
【０１１１】
１…撮影機器、１０…本体部、１１…信号処理及び制御部、１１ａ…表示制御部、１１ｂ…記録再生制御部、１１ｃ…露光時間制御部、１１ｄ…回転検出部、１１ｅ…処理判定部、１２…撮像部、１４…時計部、１５…操作判定部、１６…記録部、１８…通信部、１９…接眼表示部、２０…交換レンズ、３５…表示部、３６…タッチパネル。
【図１】
2014112791.tif 000003
【図２】
2014112791.tif 000004
【図３】
2014112791.tif 000005
【図４】
2014112791.tif 000006
【図５】
2014112791.tif 000007
【図６】
2014112791.tif 000008
【図７】
2014112791.tif 000009
【図８】
2014112791.tif 000010
【図１０】
2014112791.tif 000011
【図１１】
2014112791.tif 000012
【図１２】
2014112791.tif 000013
【図１３】
2014112791.tif 000014
【図１４】
2014112791.tif 000015
【図１５】
2014112791.tif 000016
【図９】
2014112791.tif 000017